(57)【要約】【課題】温度サイクルによる保護被膜層の収縮を低減させることができると共に、可撓性を有し、且つ、更に高いシールド特性を備え、減衰量を低減させると共に、その変動が小さい同軸ケーブルを提供すること。【解決手段】同軸ケーブル１は、中心導体１１と、当該中心導体の外周に設けられた誘電体層１２と、当該誘電体層の外周に横巻きして設けられた外部導体層１３と、当該外部導体層に長手軸方向に対して所定の角度で巻回する巻回帯１４ａからなる巻回帯層１４と、当該巻回帯層の外周に設けられた保護被膜層１５とを備えている。そして、当該保護被膜層が、ＰＦＡでなる。これにより、少なくともＦＥＰよりも粘着性の高いＰＦＡを保護被膜層としているので、該保護被膜層が巻回帯層を強固に押え付けることができる。そのため、温度サイクルによる巻回帯の巻付け緩みを抑制することができ、保護被膜層の収縮を低減させることができる。【選択図】図１
2009110774.tif 000002
【特許請求の範囲】
【請求項１】
内部導体と、
当該内部導体の外周に設けられた誘電体層と、
当該誘電体層の外周に横巻きして設けられた外部導体層と、
当該外部導体層に長手軸方向に対して所定の角度で巻回する巻回帯からなる巻回帯層と、
当該巻回帯層の外周に設けられた保護被膜層とを備えた同軸ケーブルであって、
当該保護被膜層が、テトラフルオロエチレン−パーフルオロアルキルビニルエーテル共重合体でなることを特徴とする同軸ケーブル。
【請求項２】
前記巻回帯は金属化テープであることを特徴とする請求項１に記載の同軸ケーブル。
【発明の詳細な説明】
【技術分野】
【０００１】
本発明は、同軸ケーブルに関し、特に内部導体の外周に、誘電体層、外部導体層、巻回帯層及び保護被膜層を当該順に備えた横巻きの同軸ケーブルに関する。
【背景技術】
【０００２】
従来、同軸ケーブルの中には、シールド効果を向上させ、減衰量の低減を図ることを目的として、外部導体を同軸ケーブルの長手軸方向に対してある一定の角度で誘電体層に巻回した横巻きの同軸ケーブルがある。そして、本出願人は、外部導体として、絶縁テープにアルミニウム、若しくは銅等の金属を蒸着、またはこれらの箔を張り合わせた金属テープを使用した同軸ケーブル（特許文献１）と、外部導体として、複数本の導電性の素線を使用した同軸ケーブル（特許文献２）とを提案している。
【０００３】
特許文献１の同軸ケーブルは、外部導体となる金属テープを誘電体層の上から巻回しており、この金属テープを同軸ケーブルの長手軸方向に対して０度〜２５度の角度で巻回している。そして、所定の範囲内の角度で金属テープを巻くことによって、特許文献１の同軸ケーブルでは、充分なシールド効果を得て、更に減衰量の低減を図っている。
特許文献２の同軸ケーブルは、外部導体となる複数本の導電性の素線を誘電体の上から螺旋状に巻回しており、この複数本の導電性の素線を同軸ケーブルの長手軸方向に対して８度〜１９度の角度で巻回している。そして、所定の範囲内の角度で複数本の導電性の素線を巻くことによって、特許文献２の同軸ケーブルでは、シールド効果等の電気的特性の向上を図っている。
【０００４】
【特許文献１】特開２０００−０５７８６３号公報
【特許文献２】特開２００３−０９２０３１号公報
【発明の開示】
【発明が解決しようとする課題】
【０００５】
上述した同軸ケーブルでは、外部導体となる金属テープ、若しくは複数本の導電性の素線を、所定の角度で誘電体層に巻回することによって充分なシールド特性を得ており、減衰量の低減を図っている。これに対し、機器の高性能化が進む電子機器業界等からは、可撓性を有し、且つ、更に高いシールド特性を備え、減衰量の低減を図ることが可能で、減衰量変動の小さい同軸ケーブルを使用したいとの要望が強くなされている。そこで、本出願人は、外部導体と保護被膜との間に同軸ケーブルの長手軸方向に対して２５度〜５０度の角度で巻回した巻回帯を更に設けた同軸ケーブルを提案している。
【０００６】
この同軸ケーブルによれば、外部導体が巻回帯によって押え付けられることになるので、外部導体が締め付けられることになり、外部導体の密着度が向上してシールド特性が向上する。また、外部導体が締め付けられるので、同軸ケーブルを曲げた際に、外部導体に隙間が出来難くなり、シールド特性が向上した状態を安定的に維持することが可能となる。ところが、この同軸ケーブルの保護被膜としてテトラフルオロエチレン−ヘキサフルオロプロピレン共重合体（以下、単にＦＥＰとする）を用いた場合、温度サイクルが掛かると保護被膜の収縮が発生するという問題がある。この同軸ケーブルは、例えばノート型パーソナルコンピュータに搭載されるブルートゥースのアンテナのリードに使用されるため、上記保護被膜が収縮して外部導体等が露出すると、例えば周囲の回路配線等と短絡を生ずるおそれもあり、アンテナ特性に悪影響を与えるおそれがある。
【０００７】
本発明は、上記のような課題に鑑みなされたものであり、その目的は、温度サイクルによる保護被膜層の収縮を低減させることができると共に、可撓性を有し、且つ、更に高いシールド特性を備え、減衰量を低減させると共に、その変動が小さい同軸ケーブルを提供することにある。
【課題を解決するための手段】
【０００８】
上記目的達成のため、本発明の同軸ケーブルでは、内部導体と、当該内部導体の外周に設けられた誘電体層と、当該誘電体層の外周に横巻きして設けられた外部導体層と、当該外部導体層に長手軸方向に対して所定の角度で巻回する巻回帯からなる巻回帯層と、当該巻回帯層の外周に設けられた保護被膜層とを備えた同軸ケーブルであって、当該保護被膜層が、テトラフルオロエチレン−パーフルオロアルキルビニルエーテル共重合体（以下、単にＰＦＡとする）でなることを特徴としている。
【０００９】
これにより、本発明の同軸ケーブルでは、少なくともＦＥＰよりも粘着性の高いＰＦＡを保護被膜層としているので、該保護被膜層が巻回帯層を強固に押え付けることができる。そのため、温度サイクルによる巻回帯の巻付け緩みを抑制することができ、保護被膜層の収縮を低減させることができる。また、同軸ケーブルの外部導体層の上から、更に巻回帯を巻回することになる。このため、外部導体層が巻回帯によって押え付けられることになるので、外部導体層が締め付けられることになり、外部導体層の密着度が向上してシールド特性が向上する。また、外部導体が締め付けられるので、同軸ケーブルを曲げた際に、外部導体層に隙間が出来難くなり、シールド特性が向上した状態を安定的に維持することが可能となる。
【００１０】
また、本発明の同軸ケーブルでは、前記巻回帯は金属化テープであることが好適である。これにより、巻回帯層がシールド層となるので、外部導体層と巻回帯層との２つのシールドを備えることになり、シールド特性を更に向上させることが可能となる。また、この同軸ケーブルでは、巻回帯層と外部導体層とを密着させてシールド特性が向上した状態を安定的に維持することも可能となる。
【発明を実施するための最良の形態】
【００１１】
以下に説明する実施形態は特許請求の範囲に係る発明を限定するものではなく、また実施形態の中で説明されている特徴の組み合わせの全てが本発明の成立に必須であるとは限らない。
【００１２】
図１（ａ）、（ｂ）は、本発明の同軸ケーブルの実施形態の斜視図及び断面図である。
この同軸ケーブル１は、中心導体１１（内部導体）と、誘電体層１２と、外部導体層１３と、巻回帯層１４と、本発明の特徴的な部分であるジャケット１５（保護被膜層）とにより略構成されている。そして、この同軸ケーブル１は以下の手順により形成される。
【００１３】
先ず、複数本の導体素線１１ａを撚り合わせて中心導体１１を形成し、この中心導体１１の外周に押出機（図示せず）を用いて誘電体１２ａを押出し被覆して誘電体層１２を形成する。次に、この誘電体層１２の外周に複数本の導体素線１３ａを長手軸方向に対して８度〜１９度の角度で横巻きして外部導体層１３を形成する。そして、この外部導体層１３の外周に、例えば、導体素線１３ａの横巻き方向とは反対方向に、金属化テープである例えばポリエステルテープにアルミ箔を積層して形成したＡＬＰＥＴ１４ａ（巻回帯）を螺旋状、即ち長手軸方向に対して２５度〜５０度の角度で巻回して巻回帯層１４を形成する。最後に、この巻回帯層１４の外周にジャケット１５を押出し被覆して形成することにより、同軸ケーブル１が完成する。
【００１４】
導体素線１１aには例えば銀めっき軟銅線、誘電体１２ａには例えばＦＥＰ、ＰＦＡもしくはポリテトラフルオロエチレン（ＰＴＦＥ）等のフッ素樹脂、導体素線１３ａには例えば錫めっき軟銅線が使用可能である。また、ＡＬＰＥＴ１４ａは、アルミ箔とポリエチレンテフタレート（以下、単にＰＥＴとする）とを、ポリ塩化ビニル（以下、単にＰＶＣとする）を介して積層してテープ状に形成したものである。そして、このＡＬＰＥＴ１４ａは、アルミ箔が外部導体層１３と接触する態様で、外部導体層１３の上から巻回される。また、ジャケット１５にはＰＦＡのみが使用可能となっている。
【００１５】
このように、少なくともＦＥＰよりも粘着性の高いＰＦＡをジャケット１５とすることにより、該ジャケット１５が巻回帯層１４として巻回されたＡＬＰＥＴ１４ａを強固に押え付けることができる。そのため、温度サイクルによるＡＬＰＥＴ１４ａの巻付け緩みを抑制することができ、ジャケット１５の収縮を低減させることができる。
【００１６】
また、外部導体層１３として導体素線１３ａを横巻きしており、この外部導体層１３の上から巻回帯層１４を形成するＡＬＰＥＴ１４ａを同軸ケーブル１の長手軸方向に対して２５度〜５０度の角度で螺旋状に巻回している。そのため、外部導体層１３は、この巻回帯層１４によって望ましい応力が加えられて締め付けられることになり、外部導体層１３の導体素線１３ａ同士の密着度が向上する。更に、複数本の導体素線１３ａが、巻回帯層１４によって締め付けられていることから、この巻回帯層１４によって、導体素線１３ａが密着した状態を維持されるようになっており、例え同軸ケーブル１が曲げられたとしても、その屈曲部分で導体素線１３ａ同士が離間することを抑制することも可能となっている。
【００１７】
以上のような構成の同軸ケーブル１によれば、温度サイクルによるＡＬＰＥＴ１４ａの巻付け緩みを抑制してジャケット１５の収縮を低減させることが可能となる。また、ＡＬＰＥＴ１４ａもシールド作用を有することから、外部導体層１３と巻回帯層１４の２つのシールド効果を持つ層を備えることになり、更に、外部導体層１３の導体素線１３ａが巻回帯層１４によって締め付けられるので、導体素線１３ａ同士の密着度を向上させ、更にその密着状態が維持されることになり、外部導体層１３のシールド効果をより高めることが可能となる。尚、ＡＬＰＥＴ１４ａを巻回する方向は、外部導体層１３として横巻きされた導体素線１３ａが締め付けられるならば、導体素線１３ａの横巻き方向と同方向であっても良い。
【００１８】
次に、本実施形態のジャケット１５がＰＦＡの同軸ケーブル及び比較のためにジャケット１５がＦＥＰの同軸ケーブルを用いて温度サイクル試験を行ったので、この試験結果について図２を参照して説明する。
図２は、温度サイクル試験後の同軸ケーブルの両端のジャケットの収縮量を示す図である。温度サイクル試験の条件は、恒温恒湿槽内に同軸ケーブルを浸漬し、温度範囲−２０°Ｃ〜＋８５°Ｃ、保持時間３０分を１サイクルとして４３サイクル行う。そして、この温度サイクル試験では、それぞれ５本のジャケット１５がＰＦＡの同軸ケーブルＰＦＡ１〜５及びジャケット１５がＦＥＰの同軸ケーブルＦＥＰ１〜５を用いた。
【００１９】
同軸ケーブルＰＦＡ１〜５は、以下の構成となっている。外径０．０７９ｍｍの銀めっき軟銅線を７本撚り合わせて中心導体１１を形成し、この中心導体１１の外周にＦＥＰを被覆して外径０．６９ｍｍとなるように誘電体層１２を形成する。そして、この誘電体層１２の外周に導体素線１３ａにあたる外径０．１０２ｍｍの錫めっき軟銅線を２３本、長手軸方向に対して９．６度の角度を与えて横巻きして外部導体層１３を形成する。そして、この外部導体層１３の外周に、厚さ１０μｍのアルミ箔と厚さ１２μｍのＰＥＴとを厚さ２〜３μｍのＰＶＣを介して積層してなるＡＬＰＥＴ１４ａを長手軸方向に対して２５度の角度を与えて螺旋状に巻回して巻回帯層１４を形成する。そして、この巻回帯層１４の外周に厚さ０．１０５ｍｍのＰＦＡからなるジャケット１５を押出し被覆して形成し、最終的にケーブル外径を１．１３ｍｍとする。一方、同軸ケーブルＦＥＰ１〜５は、上記ＰＦＡの代わりにＦＥＰからなるジャケット１５を押出し被覆して形成する。
【００２０】
図２から明らかなように、ジャケット１５がＰＦＡの同軸ケーブルＰＦＡ１〜５は、ジャケット１５がＦＥＰの同軸ケーブルＦＥＰ１〜５と比べて全体的に収縮量が低減されていることが判る。具体的には、同軸ケーブルＰＦＡ１は、一端が２ｍｍ、他端が２．５ｍｍの収縮量、同軸ケーブルＰＦＡ２は、一端が１．５ｍｍ、他端が３ｍｍの収縮量、同軸ケーブルＰＦＡ３は、一端が２．５ｍｍ、他端が４ｍｍの収縮量、同軸ケーブルＰＦＡ４、５は、一端が２ｍｍ、他端が３ｍｍの収縮量であった。一方、同軸ケーブルＦＥＰ１は、一端が７ｍｍ、他端が５．５ｍｍの収縮量、同軸ケーブルＦＥＰ２〜５は、両端が７ｍｍの収縮量であった。
【００２１】
このように、ジャケット１５がＰＦＡの同軸ケーブルＰＦＡ１〜５は、最大収縮量が４ｍｍ、最小収縮量が１．５ｍｍであったのに対し、ジャケット１５がＦＥＰの同軸ケーブルＦＥＰ１〜５は、最大収縮量が７ｍｍ、最小収縮量が５．５ｍｍと大きく収縮しており、ジャケット１５にＰＦＡを使用することにより温度サイクルによるジャケット１５の収縮を低減させることができる。
【００２２】
以上のように、本実施形態の同軸ケーブル１によれば、少なくともＦＥＰよりも粘着性の高いＰＦＡをジャケット１５としているので、ジャケット１５が巻回帯層１４を構成するＡＬＰＥＴ１４ａを強固に押え付けることができ、温度サイクルによるＡＬＰＥＴ１４ａの巻付け緩みを抑制して、ジャケット１５の収縮を低減させることができる。また、外部導体層１３が、導体素線１３ａにより横巻き形成されているので、可撓性に富むと共に、従来の同軸ケーブルと比べて高いシールド効果を備えており、また減衰量も低減する。
【００２３】
尚、ＡＬＰＥＴ１４ａを巻回する角度を大きくすることにより、シールド効果をより向上させ、減衰量をより低減させることができる。これは、ＡＬＰＥＴ１４ａを巻回する角度を大きくするとその分ＡＬＰＥＴ１４ａによる外部導体層１３を締め付ける力が強くなるため、外部導体層１３の導体素線１３ａ同士の密着度がその分向上するためである。そして、導体素線１３ａ同士の密着度が向上すると、導体素線１３ａ同士の間に隙間が出来難くなるため、導体素線１３ａ同士の間に隙間が出来ることによるシールド効果の低減を防止することが可能となり、シールド効果が向上する。また、本実施形態の巻回帯層１４は、金属化テープであるＡＬＰＥＴ１４ａによって形成されていたが、これに限定されるものではなく、外部導体層を締め付けることが可能であれば、どのようなものでも構わない。
【産業上の利用可能性】
【００２４】
本発明の同軸ケーブルは、どのような機器でも適用可能である。例えば、コンピュータ、計算機、携帯電話等の電子機器でも適用可能であり、更に、自動車、飛行機等の制御機器を狭小部に搭載する必要のある機械の制御回路にも適用可能である。
【図面の簡単な説明】
【００２５】
【図１】（ａ）、（ｂ）は、本発明の同軸ケーブルの実施形態の斜視図及び断面図である。
【図２】温度サイクル試験後の同軸ケーブルの両端の保護被膜層の収縮量を示す図である。
【符号の説明】
【００２６】
１  同軸ケーブル、１１  中心導体（内部導体）、１１ａ  導体素線、１２  誘電体層、
１２ａ  誘電体、１３  外部導体層、１３ａ  導体素線、１４  巻回帯層、
１４ａ  ＡＬＰＥＴ（巻回帯）、１５  ジャケット（保護被膜層）
【図１】
2009110774.tif 000003
【図２】
2009110774.tif 000004